(57)【要約】      （修正有）【課題】薄型ディスプレイを壁面に設置した際の薄型ディスプレイと壁面との隙間が狭くとも、極めて容易に薄型ディスプレイを壁面に設置することができる画期的な薄型ディスプレイ用壁掛け装置と提供する。【解決手段】壁面に固定する壁面固定基体２と壁面固定基体２に着脱自在に設けるディスプレイ取付体３とから成り、ディスプレイ取付体３は、上下方向の一方側に引掛け係止部４設け他方側に可動係止部５を設けた構成とする。また、可動係止部５は、弾性体の付勢力によって常に突出方向に押圧されて突出状態が保持されるように構成すると共にこの突出状態の可動係止部５に弾性体の付勢力に抗する押圧力が加わると可動係止部５が没入方向に可動する突没可動自在に設けて薄型ディスプレイ用壁掛け装置を構成する。【選択図】図１
0003171513.tif 000002
【実用新案登録請求の範囲】
【請求項１】
壁面に固定する壁面固定基体と、前記壁面固定基体に着脱自在に設けるディスプレイ取付体とから成り、前記ディスプレイ取付体は、上下方向の一方側に引掛け係止部設け、他方側に可動係止部を設けた構成とし、前記可動係止部は、弾性体の付勢力によって常に突出方向に押圧されて突出状態が保持されるように構成すると共に、この突出状態の可動係止部に前記弾性体の付勢力に抗する押圧力が加わると、この突出状態の可動係止部が没入方向に可動するように構成して突没可動自在に設けた構成とし、前記壁面固定基体に前記引掛け係止部を引掛け係止した後、前記可動係止部を設けた前記ディスプレイ取付体の他方側を前記壁面固定基体側に押圧することで、前記可動係止が没入してこの可動係止部を設けた前記ディスプレイ取付体の他方側が前記壁面固定基体と係合すると共に前記可動係止部が自動的に突出して、前記壁面固定基体と係合した前記ディスプレイ取付体の他方側が壁面固定基体に係止状態となって、前記ディスプレイ取付体が前記壁面固定基体から脱離不能となり、このディスプレイ取付体を介して薄型ディスプレイを前記壁面固定基体に取り付けられるように構成したことを特徴とする薄型ディスプレイ用壁掛け装置。
【請求項２】
前記ディスプレイ取付体は、上下方向に長さを有する杆状体に形成し、この杆状ディスプレイ取付体の上側に前記壁面固定基体の上縁部に引掛け係止する前記引掛け係止部を設け、下側に前記壁面固定基体の下縁部に嵌合係止する可動係止部を設けた構成として、前記引掛け係止部を前記壁面固定基体の上縁部に引掛け係止した後、前記ディスプレイ取付体の下側を前記壁面固定基体側に押圧して前記可動係止部を前記壁面固定基体の下縁部に嵌合係止して、このディスプレイ取付体を付設した前記薄型ディスプレイを前記壁面固定基体に取り付けるように構成したことを特徴とする請求項１記載の薄型ディスプレイ用壁掛け装置。
【請求項３】
前記可動係止部は、壁面固定基体に係止する係止先端部の前記壁面固設基体と当接する当接面を傾斜面に形成した構成として、前記ディスプレイ取付体の他方側を前記壁面固定基体側に押圧することで、前記可動係止部の係止先端部の傾斜面に形成した当接面に前記壁面固定基体が当接すると共に、この壁面固定基体が前記傾斜面を押圧して前記可動係止部を没入方向に押動するように構成したことを特徴とする請求項１，２のいずれか１項に記載の薄型ディスプレイ用壁掛け装置。
【請求項４】
前記壁面固設基体の上縁部及び下縁部に、前記ディスプレイ取付体の引掛け係止部及び可動係止部を係止する帯板状係止部を設け、この帯板状係止部は、前記壁面固定基体の横方向長さと同等の長さに設定したことを特徴とする請求項２，３のいずれか１項に記載の薄型ディスプレイ用壁掛け装置。
【請求項５】
前記ディスプレイ取付体の上側に設けた前記引掛け係止部は、前記ディスプレイ取付体に鉤手部を設け、この鉤手部の先端側を先細り形状に形成して前記帯板状係止部と嵌合する開口部側が広いＶ字状嵌合凹部を形成した構成とし、このＶ字状嵌合凹部を前記壁面固定基体の上縁部に設けた前記帯板状係止部に嵌合して前記引掛け係止部を前記壁面固定基体の上縁部に引掛け係止状態にした際に、このディスプレイ取付体が前記Ｖ字状嵌合凹部の底部と前記帯板状係止部との接点を支点に前後方向に回動可能に設けられるように構成したことを特徴とする請求項４記載の薄型ディスプレイ用壁掛け装置。
【請求項６】
前記壁面固設基体に脱落防止用ストッパー部を設け、前記ディスプレイ取付体に脱落防止用当接部を設けて、このディスプレイ取付体に設けた脱落防止用当接部が前記壁面固設基体に設けた脱落防止用ストッパー部に当接して、前記壁面固設基体から脱落しないように構成したことを特徴とする請求項１〜５のいずれか１項に記載の薄型ディスプレイ用壁掛け装置。
【考案の詳細な説明】
【技術分野】
【０００１】
本考案は、液晶テレビやプラズマテレビ等の薄型ディスプレイを壁面に設置する際に用いる薄型ディスプレイ用壁掛け装置に関するものである。
【背景技術】
【０００２】
液晶テレビやプラズマテレビ等の薄型ディスプレイは、ブラウン管テレビに比べて奥行き寸法を小さくして薄型且つ軽量に構成されているため、壁面設置用の取り付け装置を用いて壁面に直接設置することが可能である。
【０００３】
従来、この壁面設置用の取り付け装置は、壁面に取り付け固定する壁面取り付け固定具と、薄型ディスプレイに取り付けて壁面取り付け固定具に取り付けるディスプレイ取り付け具とで構成し、この薄型ディスプレイに取り付けたディスプレイ取り付け具を壁面取り付け固定具にネジ止め固定して、薄型ディスプレイを壁面取り付け固定具に取り付けてこの薄型ディスプレイを壁面に設置するように構成したものが一般的であった。
【０００４】
また、このような薄型ディスプレイを壁面に設置する場合、薄型ディスプレイを壁面に取り付けた際にこの薄型ディスプレイと壁面との隙間が狭くなるように構成した壁面設置用の取り付け装置を採用したり、或いは、壁面に凹部を設けて、この凹部に壁面設置用の取り付け装置を取り付けたりして、薄型ディスプレイをできるだけ壁面から突出しないように設置することが多かった。
【考案の概要】
【考案が解決しようとする課題】
【０００５】
しかしながら、上記のように薄型ディスプレイを壁面に設置した際の、薄型ディスプレイと壁面との隙間を狭くすることによって、壁面に取り付けた壁面取り付け固定具に薄型ディスプレイに取り付けたディスプレイ取り付け具をネジ止めして固定する際のネジ止め作業のスペースが非常に狭くなっており、このネジ止め作業は非常に厄介な作業となっていた。
【０００６】
特に薄型ディスプレイを壁面と面一にして設置するために壁面に凹部を設け、この凹部に薄型ディスプレイを設置する際には、上下左右方向全てにおいて、取り付け作業スペースに余裕がなく、非常に取り付け作業が厄介であった。
【０００７】
本考案は、上述した従来の問題点を解決し、薄型ディスプレイを壁面に設置した際の薄型ディスプレイと壁面との隙間が狭くとも、極めて容易に薄型ディスプレイを壁面に設置することができる画期的な薄型ディスプレイ用壁掛け装置と提供することを目的とする。
【課題を解決するための手段】
【０００８】
添付図面を参照して本考案の要旨を説明する。
【０００９】
壁面１に固定する壁面固定基体２と、前記壁面固定基体２に着脱自在に設けるディスプレイ取付体３とから成り、前記ディスプレイ取付体３は、上下方向の一方側に引掛け係止部４設け、他方側に可動係止部５を設けた構成とし、前記可動係止部５は、弾性体６の付勢力によって常に突出方向に押圧されて突出状態が保持されるように構成すると共に、この突出状態の可動係止部５に前記弾性体６の付勢力に抗する押圧力が加わると、この突出状態の可動係止部５が没入方向に可動するように構成して突没可動自在に設けた構成とし、前記壁面固定基体２に前記引掛け係止部４を引掛け係止した後、前記可動係止部５を設けた前記ディスプレイ取付体３の他方側を前記壁面固定基体２側に押圧することで、前記可動係止５が没入してこの可動係止部５を設けた前記ディスプレイ取付体３の他方側が前記壁面固定基体２と係合すると共に前記可動係止部５が自動的に突出して、前記壁面固定基体２と係合した前記ディスプレイ取付体３の他方側が壁面固定基体２に係止状態となって、前記ディスプレイ取付体３が前記壁面固定基体２から脱離不能となり、このディスプレイ取付体３を介して薄型ディスプレイ７を前記壁面固定基体２に取り付けられるように構成したことを特徴とする薄型ディスプレイ用壁掛け装置に係るものである。
【００１０】
また、前記ディスプレイ取付体３は、上下方向に長さを有する杆状体に形成し、この杆状ディスプレイ取付体３の上側に前記壁面固定基体２の上縁部に引掛け係止する前記引掛け係止部４を設け、下側に前記壁面固定基体２の下縁部に嵌合係止する可動係止部５を設けた構成として、前記引掛け係止部４を前記壁面固定基体２の上縁部に引掛け係止した後、前記ディスプレイ取付体３の下側を前記壁面固定基体２側に押圧して前記可動係止部５を前記壁面固定基体２の下縁部に嵌合係止して、このディスプレイ取付体３を付設した前記薄型ディスプレイ７を前記壁面固定基体２に取り付けるように構成したことを特徴とする請求項１記載の薄型ディスプレイ用壁掛け装置に係るものである。
【００１１】
また、前記可動係止部５は、壁面固定基体２に係止する係止先端部５ａの前記壁面固設基体２と当接する当接面５ｂを傾斜面に形成した構成として、前記ディスプレイ取付体３の他方側を前記壁面固定基体２側に押圧することで、前記可動係止部５の係止先端部５ａの傾斜面に形成した当接面５ｂに前記壁面固定基体２が当接すると共に、この壁面固定基体２が前記傾斜面５ｂを押圧して前記可動係止部５を没入方向に押動するように構成したことを特徴とする請求項１，２のいずれか１項に記載の薄型ディスプレイ用壁掛け装置に係るものである。
【００１２】
また、前記壁面固設基体２の上縁部及び下縁部に、前記ディスプレイ取付体３の引掛け係止部４及び可動係止部５を係止する帯板状係止部８を設け、この帯板状係止部８は、前記壁面固定基体２の横方向長さと同等の長さに設定したことを特徴とする請求項２，３のいずれか１項に記載の薄型ディスプレイ用壁掛け装置に係るものである。
【００１３】
また、前記ディスプレイ取付体３の上側に設けた前記引掛け係止部４は、前記ディスプレイ取付体３に鉤手部９を設け、この鉤手部９の先端側を先細り形状に形成して前記帯板状係止部８と嵌合する開口部側が広いＶ字状嵌合凹部10を形成した構成とし、このＶ字状嵌合凹部10を前記壁面固定基体２の上縁部に設けた前記帯板状係止部８に嵌合して前記引掛け係止部４を前記壁面固定基体２の上縁部に引掛け係止状態にした際に、このディスプレイ取付体３が前記Ｖ字状嵌合凹部10の底部と前記帯板状係止部８との接点を支点に前後方向に回動可能に設けられるように構成したことを特徴とする請求項４記載の薄型ディスプレイ用壁掛け装置に係るものである。
【００１４】
また、前記壁面固設基体２に脱落防止用ストッパー部11を設け、前記ディスプレイ取付体３に脱落防止用当接部12を設けて、このディスプレイ取付体３に設けた脱落防止用当接部12が前記壁面固設基体２に設けた脱落防止用ストッパー部11に当接して、前記壁面固設基体２から脱落しないように構成したことを特徴とする請求項１〜５のいずれか１項に記載の薄型ディスプレイ用壁掛け装置に係るものである。
【考案の効果】
【００１５】
本考案は上述のように構成したから、薄型ディスプレイに付設したディスプレイ取付体を壁面固定基体に取り付ける際、ネジなどの固定具で一々固定しなくともディスプレイ取付体が壁面固定基体から脱離不能となるので、薄型ディスプレイを壁面に設置した際の薄型ディスプレイと壁面との隙間が狭くネジ締め作業するために手を入れるスペースが無くても薄型ディスプレイを壁面に取り付けた壁面固定基体に脱離不能に取り付けることができる。
【００１６】
即ち、本考案は、薄型ディスプレイの裏面に付設したディスプレイ取付体の上下方向の一方側を壁面に取り付け固定した壁面固定基体に引掛け係止すると共に、他方側をこの壁面固定基体に対して押し込むだけのワンタッチ作業で、ディスプレイ取付体が壁面固定基体に脱離不能に取り付けられ、このディスプレイ取付体を介して薄型ディスプレイを壁面に設置することができる取り付け作業が極めて容易な従来にない画期的な薄型ディスプレイ用壁掛け装置となる。
【００１７】
また、請求項２記載の考案においては、先に引掛け係止する引掛け係止部をディスプレイ取付体の上側に設け、この引掛け係止部を壁面固定基体の上側に引掛け係止するように構成したので、可動係止部を押し込む際には、重量のある薄型ディスプレイが壁面固定基体に引掛け係止された状態となり、この薄型ディスプレイを支持することなく空いた両手で確実に可動係止部を壁面固定基体側に押し込み、確実な取り付け作業が極めて容易に行うことができる作業性に優れた薄型ディスプレイ用壁掛け装置となる。
【００１８】
また、請求項３，４記載の考案においては、一層容易に本考案を実現でき一層実用性に優れた薄型ディスプレイ用壁掛け装置となるもので、特に請求項４記載の考案においては、壁面固定基体にディスプレイ取付体を係止する際、係止位置を自在に調整することができるので、様々な大きさの薄型ディスプレイに対応できる実用性に優れた薄型ディスプレイ用壁掛け装置となる。
【００１９】
また、請求項５記載の考案においては、より一層壁面固定基体へのディスプレイ取付体の着脱作業が容易になる実用性に優れた薄型ディスプレイ用壁掛け装置となる。
【００２０】
また、請求項６記載の考案においては、ディスプレイ取付体が壁面固定基体の左右方向からも脱落することなく、確実に壁面に薄型ディスプレイを設置することができる実用性に優れた薄型ディスプレイ用壁掛け装置となる。
【図面の簡単な説明】
【００２１】
【図１】本実施例を示す説明斜視図である。
【図２】本実施例の可動係止部を示す斜視図である。
【図３】本実施例の可動係止部及びディスプレイ取付体固定機構を示す正面図である。
【図４】本実施例の可動係止部の動作状況を示す説明側面図である。
【図５】本実施例の可動係止部が帯板状係止部に嵌合した状態を示す側面図である。
【図６】本実施例の引動操作部を示す説明側面図である。
【図７】本実施例を用いて薄型ディスプレイを壁面に取り付ける際の状況を示す説明側面図である。
【図８】本実施例を用いて薄型ディスプレイを壁面に取り付ける際の状況を示す説明側面図である。
【図９】本実施例を用いて薄型ディスプレイを壁面に取り付けた状態を示す側面図である。
【図１０】本実施例を用いて薄型ディスプレイを壁面の凹所に設けた状態を示す説明斜視図である。
【図１１】本実施例を用いて薄型ディスプレイを壁面の凹所に設けた状態を示す側面図である。
【考案を実施するための形態】
【００２２】
好適と考える本考案の実施形態を、図面に基づいて本考案の作用を示して簡単に説明する。
【００２３】
本考案は、壁面１に取り付け固定した壁面固定基体２に、薄型ディスプレイ７の裏面に付設したディスプレイ取付体３の上下方向の一方側を引掛け係止し、他方側を壁面固定基体２に対して押し込むだけの極めて簡易な取り付け作業で薄型ディスプレイ７を壁面１に設置することができる。
【００２４】
詳細には、ディスプレイ取付体３の上下方向の他方側に設け、弾性体６の付勢力によって常に突出方向に押圧されて突出状態が保持されるように構成した可動係止部５が、壁面固定基体２に押し付けられることで没入方向に可動し、この可動係止部５が没入することでこの可動係止部５を設けたディスプレイ取付体３の他方側が壁面固定基体２に係合し、このディスプレイ取付体３の他方側と壁面固定基体２とが係合して、この壁面固定基体２によって可動係止部５が没入方向に押し付けられる動作が終了すると、この没入していた可動係止部５が再び弾性体６の付勢力によって自動的に突出して、壁面固定基体２に係止状態となり、ディスプレイ取付体３を壁面固定基体２に押し込んだ方向と逆方向に引き出そうとしても、この可動係止部５が壁面固定基体２に当接してディスプレイ取付体３が壁面固定基体２から脱離不能な状態となる。
【００２５】
従って、従来のように、一々、ネジなどの固定具でディスプレイ取付体３を壁面固定基体２に固定しなくても良いので、作業スペースが無い壁際でも、壁面固定基体２にディスプレイ取付体３の一方側を引掛け係止し、他方側を押し込むだけのワンタッチ作業で薄型ディスプレイ７に付設したディスプレイ取付体３を壁面固定基体２に取り付けることができるので、極めて容易に薄型ディスプレイ７壁面１に設置することができることとなる。
【００２６】
特に、本考案は、図１０，図１１に示すように、薄型ディスプレイ７を壁面１から突出しないように設置するために、壁面１に薄型ディスプレイ７の外形に合わせて凹所13を形成し、この凹所13に薄型ディスプレイ７を設置する場合に適しており、このような凹所13に薄型ディスプレイ７を設置した場合、薄型ディスプレイ７の上下左右方向には、殆ど手が入るスペースが無く、そのため、従来のようなネジで固定するタイプは作業が極めて困難であったが、本考案は、ネジで固定しなくとも壁面固定基体２に取り付けたディスプレイ取付体３が外れないので、このような狭いスペースへの設置も容易に実現できる画期的な薄型ディスプレイ用壁掛け装置となる。
【００２７】
また、ディスプレイ取付体３を上下方向に長さを有する杆状体に形成し、この杆状ディスプレイ取付体３の上側に壁面固定基体２の上縁部に引掛け係止する引掛け係止部４を設け、下側に壁面固定基体２の下縁部に嵌合係止する可動係止部５を設けた構成とすれば、引掛け係止部４を壁面固定基体２の上縁部に引掛け係止してしまえば、重量のある薄型ディスプレイ７を支持しなくとも良い状態となり、この状態で薄型ディスプレイ７の下側（ディスプレイ取付体３の下側）を壁面固定基体２側に押し込む作業ができるので、取り付け作業が一層容易になる作業性に優れた画期的な薄型ディスプレイ用壁掛け装置となる。
【実施例】
【００２８】
本考案の具体的な実施例について図面に基づいて説明する。
【００２９】
本実施例は、図１に示すように、壁面１に固定する壁面固定基体２と、壁面固定基体２に着脱自在に設けるディスプレイ取付体３とから成り、ディスプレイ取付体３は、上下方向の一方側に引掛け係止部４設け、他方側に可動係止部５を設けた構成とし、この可動係止部５は、弾性体６の付勢力によって常に突出方向に押圧されて突出状態が保持されるように構成すると共に、この突出状態の可動係止部５に弾性体６の付勢力に抗する押圧力が加わると、この突出状態の可動係止部５が没入方向に可動するように構成して突没可動自在に設けた構成とし、壁面固定基体２に引掛け係止部４を引掛け係止した後、可動係止部５を設けたディスプレイ取付体３の他方側を壁面固定基体２側に押圧することで、可動係止５が没入してこの可動係止部５を設けたディスプレイ取付体３の他方側が壁面固定基体２と係合すると共に可動係止部５が自動的に突出して、壁面固定基体２と係合したディスプレイ取付体３の他方側が壁面固定基体２に係止状態となって、ディスプレイ取付体３が壁面固定基体２から脱離不能となり、このディスプレイ取付体３を介して薄型ディスプレイ７を壁面固定基体２に取り付けられるように構成した薄型ディスプレイ用壁掛け装置である。
【００３０】
具体的には、壁面固定基体２は、図１に示すように、縦（上下）方向に比して横（左右）方向が長径の長方形状に形成した金属板材からなる壁面固定板部14の上縁部及び下縁部に、後述するディスプレイ取付体３の引掛け係止部４及び可動係止部５を係止する帯板状係止部８を設けた構成としている。
【００３１】
この帯板状係止部８は、Ｌ字状に折曲形成した金属板材からなり、壁面固定板部14の上縁部及び下縁部に夫々手前側（壁面１と接触する面の反対側）の水平方向に突設すると共に、上縁部に突設する上側帯板状係止部８ａは、先端部が鉛直方向に突出するように設け、下縁部に突設する下側帯板状係止部８ｂは、先端部が垂直方向に突出するように設けた構成とし、更に、この帯板状係止部８は、壁面固定基体２（壁面固定板部14）の横方向長さと同等の長さに設定した構成としている。
【００３２】
また、壁面固定基体２は、この壁面固定基体２に取り付けたディスプレイ取付体３が帯板状係止部８の左右端部から脱落しないように脱落防止用ストッパー部11を設けた構成としている。
【００３３】
具体的には、この脱落防止用ストッパー部11は、板状体に構成し、壁面固定板部14の左右端部の上下方向略中央に、手前側（壁面１と接触する面の反対側）に突設した構成としており、本実施例では、壁面固定板部14と一体成形した脱落防止用ストッパー部11を直角に折曲してこの脱落防止用ストッパー部11が左右夫々の縁部に沿って手前側に突出するように構成している。
【００３４】
また、本実施例では、壁面固定基体２を軽量化して、この壁面固定基体２を壁面１に取り付け固定した際に、壁面１に掛かる負荷を軽減するように構成しており、具体的には、壁面固定板部14に複数の穿孔15を設けた構成としている。
【００３５】
また、この壁面固定基体２に着脱自在に設けられるディスプレイ取付体３は、図１に示すように、上下方向に長さを有する杆状体に形成し、この杆状のディスプレイ取付体３の上側に壁面固定基体２の上縁部に引掛け係止する引掛け係止部４を設け、下側に壁面固定基体２の下縁部に嵌合係止する可動係止部５を設けた構成としている。
【００３６】
具体的には、このディスプレイ取付体３は、強度（剛性）を持たせるため金属板材をコ字状に形成して正面部３ａと一対の対向側壁部３ｂとからなる構成とし、正面部３ａに、このディスプレイ取付体３を薄型ディスプレイ７に付設する際の取付固定ネジ16を貫通させる螺子孔17を設け、一対の対向側壁部３ｂの夫々の上側に引掛け係止部４を設け、夫々の下側に可動係止部５を設けた構成としている。
【００３７】
尚、本実施例では、ディスプレイ取付体３の正面部３ａの上側に複数の円孔状の螺子孔17を上下方向に並設状態に設け、下側には、上下方向に長さを有する長孔状の螺子孔17を設けた構成としている。
【００３８】
更に具体的には、対向側壁部３ｂの上側に設けた引掛け係止部４は、ディスプレイ取付体３の上側（対向側壁部３ｂの上側）に板状の鉤手部９を突設し、この鉤手部９の先端側を先細り形状に形成して開口部側が広いＶ字状嵌合凹部10を形成した構成とし、このＶ字状嵌合凹部10を壁面固定基体２の上側に設けた上側帯板状係止部８ａに引掛け係止し得る構成としている。
【００３９】
また、ディスプレイ取付体３の下側（対向側壁部３ｂの下側）に設けた可動係止部５は、弾性体６の付勢力によって常に突出方向に押圧されて突出状態が保持されるように構成すると共に、この突出状態の可動係止部５に弾性体６の付勢力に抗する押圧力が加わると、この突出状態の可動係止部５が没入方向に可動するように構成して突没可動自在に設けた構成としている。
【００４０】
具体的には、図２及び図３に示すように、可動係止部５は、係止先端部５ａと縦杆部５ｃとで構成し、より具体的には、係止先端部５ａの壁面固設基体２と当接する当接面５ｂを傾斜面に形成した構成し、この係止先端部５ａの底部に縦杆部５ｃを垂設した構成としている。
【００４１】
このように構成した可動係止部５は、ディスプレイ取付体３の下側に設けた可動係止部支持部18に支持されると共に、係止先端部５ａの下方に設けた弾性体６、具体的には、可動係止部５の係止先端部５ａの底部に当接しこの係止先端部５ａを上方に押圧する弾性体６によって、定常時は、この可動係止部５を支持する係止先端部支持部18の上側支持部18ａから突出し、弾性体６の付勢力に抗して可動係止部５を下方に押し下げる力が作用した際に下方に没入する突没可動自在に設けた構成としている。
【００４２】
また、可動係止部５を突出方向に押圧する弾性体６は、本実施例ではコイルバネ６を採用した構成とし、このコイルバネ６を可動係止部５の縦杆部５ｃに貫通状態に設けると共に、可動係止部５の係止先端部５ａと係止先端部支持部18の下側支持部18ｂとで縮退状態で挟持した構成としている。
【００４３】
即ち、本実施例の可動係止部５は、図４〜図５に示すように、この可動係止部５の縦杆部５ｃに設けたコイルバネ６が縮退状態に設けられることによって常に伸長方向に付勢する力が作用し、この付勢力が可動係止部５の係止先端部５ａを上方に押圧することで常に突出状態が維持され、係止先端部５ａの当接面５ｂが壁面固定基体２の帯板状係止部８に対して押圧されることで、この帯板状係止部８が傾斜面の当接面５ｂに当接しながら相対移動することでこの当接面５ｂを下方に押し込み可動係止部５全体が下方に没入し、帯板状係止部８が当接面５ｂの頂部を乗り越えることでこの可動係止部５を設けたディスプレイ取付体３の下側が壁面固定基体２の帯板状係止部８と嵌合し、帯板状係止部８が当接面５ｂを乗り越えたことで、この帯板状係止部８による当接面５ｂを下方に押し込む動作が終了するので、弾性体６の付勢力によって自動的に突出状態に戻り、この突出した可動係止部５によってディスプレイ取付体３の下側は、壁面固定基体２の下側帯板状係止部８に脱離不能な状態で係止されるように構成している。
【００４４】
また、本実施例では、図６に示すように、この可動係止部５の下端部、即ち、縦杆部５ｃの下端部に、引動操作部19を設けた構成とし、壁面固定基体２に取り付けたディスプレイ取付体３を取り外す際、この引動操作部19を引動することで、可動係止部５が弾性体６に抗して下方に没入し、下側帯板状係止部８ｂとの係止状態が解除されて、取り外すことができるように構成している。
【００４５】
よって、本実施例のディスプレイ取付体３は、上側に設けた引掛け係止部４を壁面固定基体２の上側帯板状係止部８ａに引掛け係止した後、このディスプレイ取付体３の下側を壁面固定基体２に対して押圧するだけのワンタッチ操作で極めて容易に、このディスプレイ取付体３の下側に設けた可動係止部５が壁面固定基体２の下側帯板状係止部８ｂに嵌合係止して、従来のように、一々ネジなどの固定具で固定しなくても、この壁面固定基体２に脱離不能に取り付けられる構成とすると共に、下端に設けた引動操作部19を引動するだけで容易に係止状態が解除され壁面固定基体２から取り外すことができるように構成して、この壁面固定基体２に着脱自在に設けられる構成としている。
【００４６】
また更に、本実施例のディスプレイ取付体３は、上下方向略中央に脱落防止用当接部12を設けた構成として、壁面固定基体２に取り付けたディスプレイ取付体３が左右にスライド移動しても、このディスプレイ取付体３に設けた脱落防止用当接部12が前述した壁面固設基体２に設けた脱落防止用ストッパー部11に当接して、壁面固設基体２から脱落しないように構成している。
【００４７】
従って、本実施例のディスプレイ取付体３は、壁面固定基体２に取り付けた際に、突出する可動係止部５が壁面固定基体２の下側帯板状係止部８ｂに係止して手前方向（押し嵌めた際の押動方向と反対の引動方向）に脱離することがなく、また、脱落防止用ストッパー部11と脱落防止用当接部12との係合により左右方向の端部からの脱離もないので、従来のようにネジなどの固定具で固定しなくても、このディスプレイ取付体３は壁面固定基体２に脱離不能状態に設けられる構成としている。
【００４８】
また、本実施例は、ネジ締め付け作業をスペースが確保できる場合も想定して、壁面固定基体２に取り付けたディスプレイ取付体３が左右方向にスライドすることを阻止し、取り付け位置で固定できるようディスプレイ取付体固定機構20を備えた構成としている。
【００４９】
具体的には、図３に示すように、ディスプレイ取付体３に（本実施例では、可動係止部５と並設状態に）螺着孔を設けた固定ネジ支持部20ａを設け、この固定ネジ支持部20ａに固定ネジ20ｂを設けて、この固定ネジ20ｂを螺入し帯板状係止部８に圧接状態に当接させることでディスプレイ取付体３を壁面固定基体２に対して移動不能に固定するように構成している。
【００５０】
本実施例は上述のように構成したので、本実施例を使用する際、即ち、本実施例を用いて薄型ディスプレイ７を壁面１に設置する際は、図７〜図９に示すように、薄型ディスプレイ７を設置したい所望の位置に壁面固定基体２を壁面取付固定ネジ21で取り付け固定すると共に、ディスプレイ取付体３を薄型ディスプレイ７の裏面に付設し取付固定ネジ16を用いて強固に固定し、この薄型ディスプレイ７に付設したディスプレイ取付体３の引掛け係止部４を壁面１に取り付けた壁面固定基体２の上側帯板状係止部８ａに引掛け係止し、このディスプレイ取付体３の引掛け係止部４を壁面固定基体２の上側帯板状係止部８ａに引掛け係止することで、作業者が支持しなくても薄型ディスプレイ７が壁面固定基体２に係止されるので、作業者は、薄型ディスプレイ７を支持していた手を離すことができ、そして、この離した手で薄型ディスプレイ７の下方側を押圧して、可動係止部５を壁面固定基体２の下側帯板状係止部８ｂに押し込んで、可動係止部５を壁面固定基体２の下側帯板状係止部８ｂと嵌合係止させることで、この薄型ディスプレイ７を押し込み方向と反対方向に引っ張っても可動係止部５が下側帯板状係止部８ｂに当接することで壁面固定基体２から脱離しない状態で取り付けられる。
【００５１】
このように、本実施例は、薄型ディスプレイ７の裏面に付設したディスプレイ取付体３の引掛け係止部４を壁面１に取り付け固定した壁面固定基体２の上側帯板状係止部８ａに引掛け係止し、可動係止部５を設けたディスプレイ取付体３の下側、即ち、薄型ディスプレイ７の下側をこの壁面固定基体２に対して押し込むだけのワンタッチ作業で、ディスプレイ取付体３が壁面固定基体２に脱離不能に取り付けられ、このディスプレイ取付体３を介して薄型ディスプレイ７を壁面１に設置することができる極めて取り付け作業が容易な従来にない画期的な薄型ディスプレイ用壁掛け装置となる。
【００５２】
また、本実施例は、特に、図１０，図１１に示すように、薄型ディスプレイ７を壁面１から突出しないように設置するために、壁面１に薄型ディスプレイ７の外形に合わせて凹所13を形成し、この凹所13に薄型ディスプレイ７を設置する場合に適しており、このような凹所13に薄型ディスプレイ７を設置した場合、薄型ディスプレイ７の上下左右方向には、殆ど手が入るスペースが無く、そのため、従来のようなネジで固定するタイプは作業が極めて困難であったが、本実施例は、ネジなどの固定具で固定しなくとも壁面固定基体２に取り付けたディスプレイ取付体３が壁面固定基体２から外れ落ちないので、上述したような凹所などのネジ止めなどの固定作業を行うスペースが無い狭い設置場所への薄型ディスプレイ７の設置を容易に実現できる画期的な薄型ディスプレイ用壁掛け装置となる。
【００５３】
尚、本考案は、本実施例に限られるものではなく、各構成要件の具体的構成は適宜設計し得るものである。
【符号の説明】
【００５４】
１  壁面
２  壁面固定基体
３  ディスプレイ取付体
４  引掛け係止部
５  可動係止部
５ａ  係止先端部
５ｂ  当接面
６  弾性体
７  薄型ディスプレイ
８  帯板状係止部
９  鉤手部
10  嵌合凹部
11  脱落防止用ストッパー部
12  脱落防止用当接部
【図１】
0003171513.tif 000003
【図２】
0003171513.tif 000004
【図３】
0003171513.tif 000005
【図４】
0003171513.tif 000006
【図５】
0003171513.tif 000007
【図６】
0003171513.tif 000008
【図７】
0003171513.tif 000009
【図８】
0003171513.tif 000010
【図９】
0003171513.tif 000011
【図１０】
0003171513.tif 000012
【図１１】
0003171513.tif 000013